(57)【要約】【課題】モータ等の大型化を招くことなく、モータで生じた電磁波のノイズによる影響を抑制すること。【解決手段】実施形態に係る便器洗浄装置は、ポンプと、モータと、モータカバー、制御基板とを備える。ポンプは、タンクに貯留された水を便器本体へ供給する。モータは、ポンプを駆動させる。モータカバーは、金属製とされ、モータのコイルを覆う。制御基板は、モータを制御する回路を含む。また、制御基板は、グランド線がモータカバーに接続される。【選択図】図２
2018109336.tif 000002
【特許請求の範囲】
【請求項１】
タンクに貯留された水を便器本体へ供給するポンプと、
前記ポンプを駆動させるモータと、
前記モータのコイルを覆う金属製のモータカバーと、
前記モータを制御する回路を含む制御基板と
を備え、
前記制御基板は、
グランド線が前記モータカバーに接続されること
を特徴とする便器洗浄装置。
【請求項２】
前記グランド線に介在されるコンデンサ
を備えることを特徴とする請求項１に記載の便器洗浄装置。
【請求項３】
前記制御基板は、
前記モータカバー外に配置される第１制御基板と、
前記第１制御基板と電気的に接続されるとともに、前記モータカバー内に配置される第２制御基板と
を含み、
前記コンデンサは、
前記第１制御基板の回路に実装されること
を特徴とする請求項２に記載の便器洗浄装置。
【請求項４】
前記制御基板は、
前記モータカバー外に配置される第１制御基板と、
前記第１制御基板と電気的に接続されるとともに、前記モータカバー内に配置される第２制御基板と
を含み、
前記コンデンサは、
前記第１制御基板と前記モータカバーとの間の前記グランド線に介在されること
を特徴とする請求項２に記載の便器洗浄装置。
【請求項５】
前記グランド線は、
前記モータカバーを固定する金属製のカバー用固定部、または、前記モータカバーに配線を固定する金属製の配線用固定部に接続されること
を特徴とする請求項１〜４のいずれか一つに記載の便器洗浄装置。
【請求項６】
前記制御基板は、
前記モータカバー外に配置される第１制御基板と、
前記第１制御基板と電気的に接続されるとともに、前記モータカバー内に配置される第２制御基板と
を含み、
前記コンデンサは、
前記第２制御基板の回路に実装されること
を特徴とする請求項２に記載の便器洗浄装置。
【請求項７】
前記制御基板は、
前記モータカバー内に配置されるとともに、
前記グランド線は、
前記モータカバー内の前記制御基板から前記モータカバーへ接続される経路を含むこと
を特徴とする請求項１または２に記載の便器洗浄装置。
【請求項８】
前記経路は、
バネ状の接触端子を含むこと
を特徴とする請求項７に記載の便器洗浄装置。
【請求項９】
請求項１〜８のいずれか一つに記載の便器洗浄装置を備えることを特徴とする水洗大便器。
【発明の詳細な説明】
【技術分野】
【０００１】
開示の実施形態は、便器洗浄装置および水洗大便器に関する。
【背景技術】
【０００２】
従来、タンクに貯留された水を、モータによって駆動されるポンプで加圧して便器本体へ供給することで、便器洗浄を行う便器洗浄装置が知られている（例えば特許文献１参照）。また、近年、上記したモータやポンプの小型化が図られている。
【先行技術文献】
【特許文献】
【０００３】
【特許文献１】特開２００６−１０４６６９号公報
【発明の概要】
【発明が解決しようとする課題】
【０００４】
しかしながら、上記したモータやポンプが小型化すると、ポンプ性能を維持するため、モータに対する電流値が増加する。モータの電流値の増加に伴い、モータに生じる電磁波のノイズが増加する場合がある。かかる場合、ノイズが例えばトイレ室に配置される他の電気製品に対して影響を及ぼすことがあった。
【０００５】
そこで、例えばラインフィルタやローカットコアなどを用いて上記したノイズを低減させることができるが、部品の追加を伴うため、モータ等の大型化を招くおそれがあった。このように、従来技術にあっては、モータ等の大型化を招くことなく、ノイズによる影響を抑制するという点で改善の余地があった。
【０００６】
実施形態の一態様は、上記に鑑みてなされたものであって、モータ等の大型化を招くことなく、モータで生じた電磁波のノイズによる影響を抑制することができる便器洗浄装置および水洗大便器を提供することを目的とする。
【課題を解決するための手段】
【０００７】
実施形態の一態様に係る便器洗浄装置は、タンクに貯留された水を便器本体へ供給するポンプと、前記ポンプを駆動させるモータと、前記モータのコイルを覆う金属製のモータカバーと、前記モータを制御する回路を含む制御基板とを備え、前記制御基板は、グランド線が前記モータカバーに接続されることを特徴とする。
【０００８】
これにより、モータで生じたノイズは、グランド線を介してモータカバーへ流れることとなる。そして、モータカバー側へ流れたノイズは、モータカバーから大気中へ放出される。これにより、例えばモータから電源側へ流れるノイズを減少させることができ、よってモータ等の大型化を招くことなく、ノイズによる影響を抑制することができる。
【０００９】
さらに、コイルを覆うカバーは金属製であることから、例えばコイルの熱を効率よくモータカバーの外へ放出させることができる。これにより、コイルが過度に高温となることを抑制することができる。
【００１０】
また、前記グランド線に介在されるコンデンサを備えることを特徴とする。これにより、ノイズは、電源側よりもコンデンサが介在されたグランド線を介してカバー側へ流れやすくなる。そのため、モータから電源側へ流れるノイズをより一層減少させることができ、ノイズによる影響をより効果的に抑制することができる。
【００１１】
また、前記制御基板は、前記モータカバー外に配置される第１制御基板と、前記第１制御基板と電気的に接続されるとともに、前記モータカバー内に配置される第２制御基板とを含み、前記コンデンサは、前記第１制御基板の回路に実装されることを特徴とする。これにより、コンデンサをグランド線に容易に介在させることができる。
【００１２】
また、前記制御基板は、前記モータカバー外に配置される第１制御基板と、前記第１制御基板と電気的に接続されるとともに、前記モータカバー内に配置される第２制御基板とを含み、前記コンデンサは、前記第１制御基板と前記モータカバーとの間の前記グランド線に介在されることを特徴とする。これにより、第１制御基板に対して大きな設計変更をせずに、コンデンサをグランド線に介在させることができる。
【００１３】
また、前記グランド線は、前記モータカバーを固定する金属製のカバー用固定部、または、前記モータカバーに配線を固定する金属製の配線用固定部に接続されることを特徴とする。
【００１４】
このように、グランド線の接続場所を、カバー用固定部または配線用固定部とすることで、新たな部材を追加することなく、グランド線を簡易にモータカバーに接続することができる。
【００１５】
また、前記制御基板は、前記モータカバー外に配置される第１制御基板と、前記第１制御基板と電気的に接続されるとともに、前記モータカバー内に配置される第２制御基板とを含み、前記コンデンサは、前記第２制御基板の回路に実装されることを特徴とする。これにより、コンデンサを第２制御基板に容易に実装させることができるとともに、モータカバー内で保護することもできる。
【００１６】
また、前記制御基板は、前記モータカバー内に配置されるとともに、前記グランド線は、前記モータカバー内の前記制御基板から前記モータカバーへ接続される経路を含むことを特徴とする。このように、モータカバー内で接続が行われることで、例えばモータカバー外の配線に対する取り回しの自由度を向上させることができる。
【００１７】
また、前記経路は、バネ状の接触端子を含むことを特徴とする。これより、制御基板とモータカバーとを、簡易な構成で電気的に接続することができる。
【００１８】
また、実施形態の一態様に係る水洗大便器は、上記便器洗浄装置のいずれか一つを備えることを特徴とする。これにより、水洗大便器において、モータ等の大型化を招くことなく、モータで生じた電磁波のノイズによる影響を抑制することができる。
【発明の効果】
【００１９】
実施形態の一態様によれば、モータ等の大型化を招くことなく、モータで生じた電磁波のノイズによる影響を抑制することができる。
【図面の簡単な説明】
【００２０】
【図１】図１は、実施形態に係る便器洗浄装置を備える水洗大便器を示す全体構成図である。
【図２】図２は、主制御基板とポンプユニットとの接続関係を説明する図である。
【図３】図３は、ポンプユニットの正面図である。
【図４】図４は、図３のIV−IV線断面図である。
【図５】図５は、配線用固定部付近の拡大平面図である。
【発明を実施するための形態】
【００２１】
以下、添付図面を参照して、本願の開示する便器洗浄装置および水洗大便器の実施形態を詳細に説明する。なお、以下に示す実施形態によりこの発明が限定されるものではない。
【００２２】
＜１．便器洗浄装置を備える水洗大便器の構成＞
先ず、便器洗浄装置を備える水洗大便器の構成について図１を参照して説明する。図１は、実施形態に係る便器洗浄装置を備える水洗大便器を示す全体構成図である。なお、図１および図２以降に示す図は、いずれも模式図である。
【００２３】
図１に示すように、水洗大便器１００は、例えばトイレ室の床面に載置される便器本体２００と、便器本体２００の後方に配置され、便器本体２００に対して洗浄水を供給する便器洗浄装置１とを備える。
【００２４】
便器本体２００は、汚物を受けるボウル部２１０と、ボウル部２１０の底部から後方へ延びる排水トラップ管路２２０とを備える。ボウル部２１０には、リム吐水を行うリム吐水口２１２およびジェット吐水を行うジェット吐水口２１４が形成される。リム吐水口２１２は、ボウル部２１０の上部後方に形成され、ボウル部２１０の上縁に沿って洗浄水を吐出する。
【００２５】
ジェット吐水口２１４は、ボウル部２１０の底部に形成され、排水トラップ管路２２０に向けて洗浄水を吐出する。かかるジェット吐水口２１４からの洗浄水の吐出によって、排水トラップ管路２２０内を洗浄水で急速に満たし、サイホン作用を早期に発生させることができる。排水トラップ管路２２０は、封水を形成するとともに、下水配管（図示せず）と連通している。
【００２６】
便器洗浄装置１は、操作部３００と、制御回路（図示せず）を含む制御基板４００と、バルブユニット６００と、バルブユニット６００の下流に設けられ洗浄水を貯留するタンク８００と、タンク８００の下流に設けられ洗浄水を加圧するポンプユニット９００とを備える。
【００２７】
操作部３００は、例えば便器洗浄を開始させるための洗浄スイッチなどを備える操作パネルである。操作部３００は、例えばユーザによって洗浄スイッチが操作された場合、便器洗浄の開始を示す信号を制御基板４００へ出力する。
【００２８】
制御基板４００は、主制御基板４１０と、モータ用制御基板４４０とを含む。なお、主制御基板４１０は第１制御基板の一例であり、モータ用制御基板４４０は第２制御基板の一例である。
【００２９】
主制御基板４１０は、ＣＰＵ（Central  Processing  Unit）やメモリなどを有するマイクロコンピュータ、各種の制御回路を含むコントローラである。主制御基板４１０の制御回路は、例えば操作部３００から出力される便器洗浄の開始を示す信号に基づいて、バルブユニット６００やポンプユニット９００のモータ９２０（後述）などに対して制御信号を出力し、便器洗浄装置１全体を制御する。なお、主制御基板４１０の具体的な構成については、図２を参照して後述する。
【００３０】
モータ用制御基板４４０は、各種の制御回路を含み、主制御基板４１０から出力される制御信号に基づいて、ポンプユニット９００のモータ９２０を制御する。このように、主制御基板４１０およびモータ用制御基板４４０を含む制御基板４００は、モータ９２０を制御する回路を含んでいる。
【００３１】
バルブユニット６００の上流側には、図示しない給水源からの洗浄水を供給する給水路３１０が接続される。また、バルブユニット６００の下流側には、リム吐水口２１２に洗浄水を供給するためのリム側給水路３２０とタンク８００に洗浄水を供給するためのタンク側給水路３３０とが接続される。
【００３２】
バルブユニット６００は、定流量弁６２０と、定流量弁６２０の下流に設けられるダイヤフラム式の給水弁６４０と、給水弁６４０の下流に設けられるバキュームブレーカ６８０と、バキュームブレーカ６８０の下流に設けられる切替弁６６０とを備える。
【００３３】
定流量弁６２０は、給水路３１０から定流量弁６２０に流れ込んで下流側へ向かう洗浄水の流量を一定にする。給水弁６４０は、例えばダイヤフラムを含んで構成され、その開閉により、リム吐水口２１２およびジェット吐水口２１４における洗浄水の吐水と止水とを切替える。
【００３４】
バキュームブレーカ６８０は、給水路３１０内が負圧になることで生じる洗浄水の逆流を防止する。なお、バキュームブレーカ６８０から溢れ出た洗浄水は、水受け部６８４によって捕集された後、水受け部６８４の底面に接続された排水路３６０によってタンク８００に排出される。
【００３５】
切替弁６６０は、給水源からの洗浄水の供給先を例えば便器本体２００のリム吐水口２１２とタンク８００とに切り替える。すなわち、切替弁６６０は、リム側給水路３２０またはタンク側給水路３３０へ向けて洗浄水を供給する。
【００３６】
タンク８００は、便器本体２００のジェット吐水口２１４へ供給される洗浄水を貯留する。タンク８００の下部には、ポンプ側給水路３４０が接続されており、ポンプ側給水路３４０の下流端には、上記したポンプユニット９００が接続される。
【００３７】
ポンプユニット９００は、ポンプ９１０と、モータ９２０と、上記したモータ用制御基板４４０とを備える。ポンプ９１０としては、例えば渦巻きポンプやディフューザポンプ、カスケードポンプなど種々のポンプを用いることができるが、これに限定されるものではない。
【００３８】
モータ９２０は、例えばブラシレスモータやブラシモータ等を用いることができるが、これに限られない。モータ用制御基板４４０は、モータ９２０に電気的に接続されてモータ９２０を制御する。
【００３９】
そして、ポンプ９１０は、ジェット側給水路３５０によりジェット吐水口２１４と接続されており、タンク８００に貯水された洗浄水を加圧してジェット側給水路３５０を介してジェット吐水口２１４へ供給する。なお、ポンプユニット９００の具体的な構成については、図３〜図５を参照して後述する。
【００４０】
ところで、上記したポンプ９１０やモータ９２０を小型化すると、ポンプ性能を維持するため、モータ９２０に対する電流値が増加する。これにより、モータ９２０に生じる電磁波のノイズも増加し、かかるノイズは、例えばコンセントなどの電源経路を通じてトイレ室に配置される他の電気製品に対して影響を及ぼすことがあった。
【００４１】
上記したノイズの低減を目的として、例えばラインフィルタなどを用いた場合、部品の追加を伴うため、モータ９２０等の大型化を招くおそれがあった。そこで、本実施形態にあっては、モータ９２０等の大型化を招くことなく、ノイズの影響を抑制することができる構成とした。以下、その構成について図２以降を参照して説明する。
【００４２】
＜２．主制御基板とポンプユニットとの接続関係＞
図２は、主制御基板４１０とポンプユニット９００との接続関係を説明する図である。なお、図２では、本実施形態の説明に必要な構成要素のみを表しており、一般的な構成要素についての記載を省略している。
【００４３】
図２に示すように、主制御基板４１０は、商用の交流電源４１１に接続され、交流電源４１１の交流電圧を直流電圧に整流してモータ９２０へ供給する。具体的には、主制御基板４１０は、ブリッジダイオード４１２と、平滑用コンデンサ４１３と、降圧回路４１４とを備える。
【００４４】
ブリッジダイオード４１２は、交流電源４１１の交流電圧を全波整流する。平滑用コンデンサ４１３は、全波整流された交流電圧を直流電圧に整流する。したがって、接続点Ｐ１側はプラスの電圧、接続点Ｐ２側は０Ｖ、すなわちグランド側となる。
【００４５】
接続点Ｐ１には、電源線４２１が接続され、かかる電源線４２１は、主制御基板４１０の接続端子４２２を介してモータ９２０のモータ用制御基板４４０の電源パターン（図示せず）に接続される。
【００４６】
また、接続点Ｐ２には、第１グランド線４２３が接続され、かかる第１グランド線４２３は、主制御基板４１０の接続端子４２４を介してモータ用制御基板４４０のグランドパターン（図示せず）に接続される。このように、主制御基板４１０とモータ用制御基板４４０とは、電気的に接続される。
【００４７】
ポンプユニット９００において、モータ９２０は、固定子として機能するコイル９３１を備え、かかるコイル９３１は、例えばアルミなどの金属製のモータカバー９２１によって覆われている。なお、コイル９３１やモータカバー９２１の詳しい構成については、後述する。
【００４８】
コイル９３１には、上記したモータ用制御基板４４０の電源パターンおよびグランドパターンが接続される。そして、モータ用制御基板４４０は、制御信号に基づいて、コイル９３１に対する通電（ＯＮ）および非通電（ＯＦＦ）を制御することで、モータ９２０の制御を行っている。
【００４９】
降圧回路４１４は、接続点Ｐ１，Ｐ２に接続され、平滑用コンデンサ４１３で整流された直流電圧を降圧して、例えばモータ用制御基板４４０などの駆動用電源を生成する。降圧回路４１４で生成された駆動用電源は、各種の電源線（図示せず）を介してモータ用制御基板４４０へ供給される。なお、図示は省略するが、主制御基板４１０とモータ用制御基板４４０との間には、例えばモータ９２０の制御に用いられる信号線なども配線されてもよい。
【００５０】
そして、本実施形態に係る主制御基板４１０は、第２グランド線４３１を備え、第２グランド線４３１がモータカバー９２１（以下、単に「カバー９２１」と記載する場合がある）に接続されることで、ノイズの影響を抑制することができる。なお、第２グランド線４３１は、グランド線の一例である。
【００５１】
具体的に説明すると、主制御基板４１０においてグランド側である接続点Ｐ２には、第１グランド線４２３に加え、第２グランド線４３１が接続される。第２グランド線４３１は、主制御基板４１０の接続端子４３２を介してカバー９２１に接続される。
【００５２】
ここで、モータ９２０のノイズは、例えばモータ用制御基板４４０でコイル９３１に対するＯＮ／ＯＦＦ制御が行われる際に生じやすい。モータ９２０で生じたノイズは、矢印Ａで示すように、電源線４２１や第１グランド線４２３を通り、交流電源４１１側へ流れることから、他の電気製品に対して影響を及ぼすおそれがある。
【００５３】
本実施形態では、第２グランド線４３１を備えるようにしたことから、ノイズは、矢印Ｂで示すように、カバー９２１へも流れることとなる。そして、カバー９２１側へ流れたノイズは、カバー９２１から大気中へ放出される。
【００５４】
これにより、モータ９２０から交流電源４１１側へ流れるノイズを減少させることができ、よってモータ９２０等の大型化を招くことなく、ノイズによる影響を抑制することができる。
【００５５】
また、第２グランド線４３１には、ノイズ用コンデンサ４３４が介在される。ノイズ用コンデンサ４３４は、ノイズの高周波に対するインピーダンスを低下させるため、ノイズは、交流電源４１１側（矢印Ａ参照）よりもノイズ用コンデンサ４３４側、言い換えると、カバー９２１側（矢印Ｂ参照）へ流れやすくなる。これにより、モータ９２０から交流電源４１１側へ流れるノイズをより一層減少させることができ、ノイズによる影響をより効果的に抑制することができる。
【００５６】
また、ノイズ用コンデンサ４３４は、主制御基板４１０の回路に実装されるようにした。これにより、ノイズ用コンデンサ４３４を第２グランド線４３１に容易に介在させることができる。
【００５７】
＜３．ポンプユニットの構成＞
次に、具体的に第２グランド線４３１が接続されるカバー９２１の位置について、図３以降を参照して説明する。図３は、ポンプユニット９００の正面図であり、図４は、図３のIV−IV線断面図である。
【００５８】
図４に示すように、ポンプユニット９００は、ポンプ９１０と、モータ９２０とを備える。ポンプ９１０は、ケーシング９１１と、羽根部９１２と、吸込口９１３と、吐出口９１４とを備える。
【００５９】
ケーシング９１１は、内部空間９１１ａを有する箱状に形成される。なお、ケーシング９１１は、樹脂製とされるが、これに限定されるものではなく、例えばアルミなどの金属製であってもよい。
【００６０】
ケーシング９１１の内部空間９１１ａには、羽根部９１２が回転可能に配置される。また、ケーシング９１１において羽根部９１２の付近には、羽根部９１２の回転軸方向に沿って延びる吸込口９１３と、羽根部９１２の回転軸方向に対して垂直方向に沿って延びる吐出口９１４とが形成される。なお、吸込口９１３にはポンプ側給水路３４０（図１参照）が接続される一方、吐出口９１４にはジェット側給水路３５０（図１参照）が接続される。
【００６１】
モータ９２０は、上記したカバー９２１と、固定子たるコイル９３１と、回転子９３２と、回転軸９３３と、軸受部９３４と、モータ用制御基板４４０とを備える。
【００６２】
カバー９２１は、内部空間９２１ａを有する箱状に形成される。カバー９２１の内部空間９２１ａには、コイル９３１、回転子９３２、回転軸９３３、軸受部９３４およびモータ用制御基板４４０が配置される。言い換えると、カバー９２１は、コイル９３１やモータ用制御基板４４０などを覆うように形成される。
【００６３】
上記したコイル９３１は作動時に発熱するが、コイル９３１を覆うカバー９２１は金属製であることから、例えばコイル９３１の熱を効率よくカバー９２１の外へ放出させることができる。これにより、コイル９３１が過度に高温となることを抑制することができる。
【００６４】
また、モータ用制御基板４４０も金属製のカバー９２１で覆われるため、モータ用制御基板４４０から発する電波がポンプユニット９００の外部へ放出されることを抑制することができる。
【００６５】
なお、図３に示す例では、モータ用制御基板４４０はカバー９２１内に配置されるが、これに限られず、例えばカバー９２１外に配置されてもよい。また、主制御基板４１０（図２参照）は、カバー９２１外に配置されるが、これに限定されるものではなく、例えばカバー９２１内に配置されてもよい。
【００６６】
コイル９３１は、カバー９２１の内周付近に固定される。回転子９３２は、図示しない永久磁石を備え、コイル９３１と対応する位置に配置される。回転子９３２には、回転軸９３３が取り付けられる。かかる回転軸９３３は、カバー９２１に固定された軸受部９３４によって回転可能に軸支される。回転軸９３３には、ポンプ９１０の羽根部９１２が接続される。
【００６７】
上記のように構成されたポンプユニット９００にあっては、モータ用制御基板４４０によってコイル９３１への電流を制御することで、回転子９３２、回転軸９３３および羽根部９１２が回転する。羽根部９１２が回転すると、洗浄水は、吸込口９１３から吸い込まれて加圧された後、吐出口９１４から吐出される。
【００６８】
カバー９２１の説明を続けると、図３に示すように、カバー９２１は、配線用固定部９２３を備える。配線用固定部９２３は、例えばワイヤハーネス４２６などの配線を固定する。
【００６９】
ここで、ワイヤハーネス４２６は、例えば上記した電源線４２１（図２参照）、第１グランド線４２３（図２参照）、各種の電源線および信号線などをまとめて束にしたものである。そして、ワイヤハーネス４２６は、結束バンドなどの結束部材４２８を介して配線用固定部９２３に固定される。詳しくは、結束部材４２８には、図示しないネジ挿通孔が開口され、かかるネジ挿通孔にネジ９２３ａを挿通させて締結することで、ワイヤハーネス４２６が配線用固定部９２３に固定される。
【００７０】
なお、ワイヤハーネス４２６の端部は、カバー９２１に形成された挿通孔９２４に挿通された後、カバー９２１内のモータ用制御基板４４０に接続される（図４参照）。
【００７１】
また、配線用固定部９２３は、カバー９２１と同じく、アルミなどの金属製とされる。そして、第２グランド線４３１は、配線用固定部９２３に接続される。図５は、配線用固定部９２３付近の拡大平面図であり、具体的には図３の一点鎖線で囲まれた部分の拡大平面図である。
【００７２】
図５に示すように、第２グランド線４３１の先端には、例えば丸端子４３１ａが取り付けられる。かかる丸端子４３１ａに、配線用固定部９２３のネジ９２３ａを挿通させて締結することで、第２グランド線４３１は、配線用固定部９２３に接続される。
【００７３】
このように、第２グランド線４３１の接続場所を、配線用固定部９２３とすることで、新たな部材を追加することなく、第２グランド線４３１を簡易にカバー９２１に接続することができる。
【００７４】
なお、カバー９２１において、第２グランド線４３１が接続される位置は、上記した配線用固定部９２３に限定されるものではない。すなわち、カバー９２１は、図３に示すように、カバー用固定部９２５を備える。カバー用固定部９２５は、例えば図示しない支持部にカバー９２１を固定するための部位である。また、カバー用固定部９２５は、カバー９２１と同じく、アルミなどの金属製とされる。
【００７５】
そして、図示は省略するが、第２グランド線４３１は、カバー用固定部９２５に接続されるようにしてもよい。このように、第２グランド線４３１の接続場所を、カバー用固定部９２５とすることで、新たな部材を追加することなく、第２グランド線４３１を簡易にカバー９２１に接続することができる。
【００７６】
上述してきたように、実施形態に係る便器洗浄装置１は、ポンプ９１０と、モータ９２０と、モータカバー９２１、制御基板４００とを備える。ポンプ９１０は、タンク８００に貯留された水を便器本体２００へ供給する。モータ９２０は、ポンプ９１０を駆動させる。モータカバー９２１は、金属製とされ、モータ９２０のコイル９３１を覆う。制御基板４００は、モータ９２０を制御する回路を含む。また、制御基板４００は、第２グランド線４３１がモータカバー９２１に接続される。
【００７７】
これにより、モータ９２０等の大型化を招くことなく、モータ９２０で生じた電磁波のノイズによる影響を抑制することができる。
【００７８】
（第１変形例）
＜４．第１変形例に係るコンデンサの構成＞
次に、第１変形例について説明する。第１変形例では、図２に破線で示すように、ノイズ用コンデンサ４３４ａが、主制御基板４１０とカバー９２１との間の第２グランド線４３１に介在されるようにした。
【００７９】
詳しくは、ノイズ用コンデンサ４３４ａは、主制御基板４１０の接続端子４３２とカバー９２１との間の第２グランド線４３１において、例えば空中配線にて介在されるようにした。
【００８０】
これにより、第１変形例にあっては、主制御基板４１０に対して大きな設計変更をせずに、ノイズ用コンデンサ４３４ａを第２グランド線４３１に介在させることができる。なお、残余の構成および効果は、従前の実施形態と同じである。
【００８１】
（第２変形例）
＜５．第２変形例に係るコンデンサおよびグランド線の構成＞
次に、第２変形例について説明する。第２変形例にあっては、実施形態および第１変形例に対し、カバー９２１に接続されるグランド線の経路を変更するようにした。
【００８２】
具体的に説明すると、第２変形例にあっては、第２グランド線４３１が除去される。そして、図４に破線で示すように、ノイズ用コンデンサ４３４ｂがモータ用制御基板４４０のグランドパターン（図示せず）上に実装される。
【００８３】
さらに、グランドパターンには、バネ状の接続端子４５０（以下、「バネ端子４５０」と記載する場合がある）が実装される。なお、図４に示す例では、バネ端子４５０が側面視Ｚ字状とされるが、これに限られず、コイル状などその他の形状であってもよい。
【００８４】
バネ端子４５０は、グランドパターンに接続される端部とは反対側の端部がカバー９２１に当接される。詳しくは、例えばバネ端子４５０をモータ用制御基板４４０に予め実装しておき、カバー９２１が組み付けられる際に、バネ端子４５０はカバー９２１によって弾性変形させられつつカバー９２１に当接される。これにより、モータ用制御基板４４０のグランドパターンとカバー９２１とが、バネ端子４５０を介して電気的に接続される。
【００８５】
第２変形例にあっては、上記のように構成することで、モータ９２０で生じたノイズは、モータ用制御基板４４０のグランドパターンからノイズ用コンデンサ４３４ｂ、バネ端子４５０およびカバー９２１を通って大気中へ放出されることとなる。これにより、実施形態および第１変形例と同様、ノイズによる影響を抑制することができる。
【００８６】
このように、第２変形例では、カバー９２１に接続されるグランド線の経路に、カバー９２１内のモータ用制御基板４４０からカバー９２１へ接続される経路を含むようにした。すなわち、カバー９２１内で接続が行われることで、第２グランド線４３１を除去できるため、例えばカバー９２１外の配線（例えばワイヤハーネス４２６など）に対する取り回しの自由度を向上させることができる。
【００８７】
また、カバー９２１へ接続される経路に、バネ端子４５０が含まれるようにした。これより、モータ用制御基板４４０とカバー９２１とを、簡易な構成で電気的に接続することができる。
【００８８】
また、第２変形例では、ノイズ用コンデンサ４３４ｂは、モータ用制御基板４４０の回路（正確にはグランドパターン）に実装される。これにより、ノイズ用コンデンサ４３４ｂをモータ用制御基板４４０に容易に実装させることができるとともに、カバー９２１内で保護することもできる。
【００８９】
なお、上記した実施形態、第１変形例および第２変形例では、それぞれノイズ用コンデンサ４３４，４３４ａ，４３４ｂの実装される位置が異なるように構成されるが、これに限られず、例えば実施形態、第１、第２変形例を適宜に組み合わせるようにしてもよい。すなわち、実施形態と第１変形例とを組み合わせ、２個のノイズ用コンデンサ４３４，４３４ａを備えるようにしてもよい。
【００９０】
また、上記では、タンク８００内の洗浄水をポンプ９１０で加圧してジェット吐水口２１４から吐出させるように構成したが、これに限定されるものではない。すなわち、例えば、ポンプ９１０で加圧した洗浄水をリム吐水口２１２からも吐水させるようにしてもよい。
【００９１】
また、上記では、バキュームブレーカ６８０が切替弁６６０の上流側に設けられるようにしたが、これに限られず、例えば切替弁６６０の下流側に設けられるようにしてもよい。
【００９２】
さらなる効果や変形例は、当業者によって容易に導き出すことができる。このため、本発明のより広範な態様は、以上のように表しかつ記述した特定の詳細および代表的な実施形態に限定されるものではない。したがって、添付の特許請求の範囲およびその均等物によって定義される総括的な発明の概念の精神または範囲から逸脱することなく、様々な変更が可能である。
【符号の説明】
【００９３】
１  便器洗浄装置
１００  水洗大便器
２００  便器本体
４００  制御基板
４１０  主制御基板
４２１  電源線
４２３  第１グランド線
４３１  第２グランド線
４３４，４３４ａ，４３４ｂ  ノイズ用コンデンサ
４４０  モータ用制御基板
４５０  接続端子
９００  ポンプユニット
９１０  ポンプ
９２０  モータ
９２１  モータカバー
９２３  配線用固定部
９２５  カバー用固定部
９３１  コイル
【図１】
2018109336.tif 000003
【図２】
2018109336.tif 000004
【図３】
2018109336.tif 000005
【図４】
2018109336.tif 000006
【図５】
2018109336.tif 000007